(57)【特許請求の範囲】
【請求項１】
第１の携帯端末と、通信回線を介して該第１の携帯端末と通信を行う第２の携帯端末とを備え、
前記第１の携帯端末は、前記第２の携帯端末と所定の距離の範囲内で近距離無線接続するための第１の近距離無線通信手段を有すると共に、前記第２の携帯端末は、前記第１の携帯端末と前記所定の距離の範囲内で前記近距離無線接続するための第２の近距離無線通信手段を有する携帯端末システムであって、
前記第１の携帯端末は、
前記第２の携帯端末と前記近距離無線接続しようとするときは、まず、前記通信回線を介して、当該近距離無線接続するための接続要求を該第２の携帯端末へ送出する構成とされ、かつ、
前記第２の携帯端末は、
前記第１の携帯端末から前記通信回線を介して前記近距離無線接続するための前記接続要求を受けると、該第１の携帯端末と前記近距離無線接続するための処理を行う構成とされ、
前記第１の携帯端末は、
自機が有する前記第１の近距離無線通信手段と前記第２の携帯端末が有する前記第２の近距離無線通信手段との間で前記近距離無線接続が確立したとの認証が完了した後、前記第１の携帯端末と前記第２の携帯端末との間の前記通信回線を介する通信を切断することを特徴とする携帯端末システム。
【請求項２】
前記第１及び第２の近距離無線通信手段は、
Bluetooth （ブルートゥース）の無線通信仕様に基づいて構成されていることを特徴とする請求項１記載の携帯端末システム。
【請求項３】
前記通信回線は、
一般電話回線又はインターネットであることを特徴とする請求項１又は２記載の携帯端末システム。
【請求項４】
第１の携帯端末と、通信回線を介して該第１の携帯端末と通信を行う第２の携帯端末とを備え、前記第１の携帯端末は、前記第２の携帯端末と所定の距離の範囲内で近距離無線接続するための第１の近距離無線通信手段を有すると共に、前記第２の携帯端末は、前記第１の携帯端末と前記所定の距離の範囲内で前記近距離無線接続するための第２の近距離無線通信手段を有する携帯端末システムに用いられ、前記第１の携帯端末を前記第２の携帯端末に近距離無線接続する通信制御方法であって、
前記第１の携帯端末が、前記第２の携帯端末と前記近距離無線接続しようとするときは、まず、前記通信回線を介して、当該近距離無線接続するための接続要求を該第２の携帯端末へ送出する接続要求送出処理と、
前記第２の携帯端末が、前記第１の携帯端末から前記通信回線を介して前記近距離無線接続するための前記接続要求を受けると、該第１の携帯端末と前記近距離無線接続するための処理を行う接続処理と、
前記第１の携帯端末が、自機が有する前記第１の近距離無線通信手段と前記第２の携帯端末が有する前記第２の近距離無線通信手段との間で前記近距離無線接続が確立したとの認証が完了した後、前記第１の携帯端末と前記第２の携帯端末との間の前記通信回線を介する通信を切断する回線切断処理とを行うことを特徴とする通信制御方法。
【請求項５】
前記第１及び第２の近距離無線通信手段は、
Bluetooth （ブルートゥース）の無線通信仕様に基づいて構成されていることを特徴とする請求項４記載の通信制御方法。
【請求項６】
前記通信回線は、
一般電話回線又はインターネットであることを特徴とする請求項４又は５記載の通信制御方法。
【発明の詳細な説明】
【０００１】
【発明の属する技術分野】
この発明は、携帯端末システム及び通信制御方法に係り、特に、複数の携帯端末の間で近距離用の無線通信手段を介して通信を行う場合に用いて好適な携帯端末システム及び通信制御方法に関する。
【０００２】
【従来の技術】
互いに近距離にある２つの携帯端末を無線接続して相互に通信を行う携帯端末システムでは、近距離用の無線通信手段としてBluetooth （ブルートゥース）が用いられることが多い。Bluetooth は、たとえばノートパソコンとデジタルカメラ間など、携帯端末用の無線インタフェースとして策定されたものであり、２．４ＧＨｚ帯の電波が使用され、最大１Ｍビット／秒のデータ伝送が約１０ｍ程度の距離（標準の出力；１ｍＷ）で行われる。また、オプションとして、空中線電力を上げて１００ｍ（出力；１００ｍＷ）まで通信距離を伸ばす仕様も規定されている。Bluetooth は、免許なしで使用可能なため、汎用性が高い。
【０００３】
この種の携帯端末システムは、従来では例えば図５に示すように、携帯電話機１，２と、無線基地局３とから構成されている。携帯電話機１は、Bluetoothの仕様に基づく送受信部１ａを有し、同送受信部１ａを介して携帯電話機２と所定の距離の範囲内で無線接続すると共に、無線基地局３を介して携帯電話機２と通信を行う。携帯電話機２は、Bluetooth の仕様に基づく送受信部２ａを有し、同送受信部２ａを介して携帯電話機１と所定の距離の範囲内で無線接続すると共に、無線基地局３を介して携帯電話機１と通信を行う。無線基地局３は、受け持ちの小ゾーン内で携帯電話機１，２と通信を行う。
【０００４】
この携帯端末システムでは、携帯電話機１と携帯電話機２との距離がBluetooth の仕様に基づく距離を超えている場合、同携帯電話機１と同携帯電話機２との間で、無線基地局３、図示しない在圏移動通信交換局及び関門移動通信交換局を介して通信が行われる。また、携帯電話機１と携帯電話機２との距離がBluetooth の仕様に基づく距離の範囲内である場合、携帯電話のサービスを利用する必要がないので、ユーザが携帯電話機１を操作することにより、携帯電話機１の送受信部１ａから携帯電話機２の送受信部２ａに対して問合わせが行われ、同送受信部２ａから同送受信部１ａに応答が行われる。この後、送受信部１ａから送受信部２ａに対して接続の命令が行われ、同送受信部２ａから同送受信部１ａに応答が行われる。そして、送受信部１ａから送受信部２ａに対して認証の命令が行われ、同送受信部２ａから同送受信部１ａに応答が行われる。このようにして送受信部１ａと送受信部２ａとの間で無線接続が完了し、通信が行われる。この場合、通信料金は不要になる。
【０００５】
【発明が解決しようとする課題】
しかしながら、上記従来の携帯端末システムでは、次のような問題点があった。
すなわち、図５に示す携帯端末システムでは、送受信部１ａと送受信部２ａとの間で接続が完了するまでのユーザの手動による操作の回数が多く、また、無線接続が完了するまでの所要時間が１０秒程度あるため、ユーザにとって煩雑に感じられることがあるという問題点がある。
【０００６】
この発明は、上述の事情に鑑みてなされたもので、近距離用の無線通信手段を有する複数の携帯端末の間を短時間で接続する携帯端末システム及び通信制御方法を提供することを目的としている。
【０００７】
【課題を解決するための手段】
上記課題を解決するために、請求項１記載の発明は、第１の携帯端末と、通信回線を介して該第１の携帯端末と通信を行う第２の携帯端末とを備え、前記第１の携帯端末は、前記第２の携帯端末と所定の距離の範囲内で近距離無線接続するための第１の近距離無線通信手段を有すると共に、前記第２の携帯端末は、前記第１の携帯端末と前記所定の距離の範囲内で前記近距離無線接続するための第２の近距離無線通信手段を有する携帯端末システムに係り、前記第１の携帯端末は、前記第２の携帯端末と前記近距離無線接続しようとするときは、まず、前記通信回線を介して、当該近距離無線接続するための接続要求を該第２の携帯端末へ送出する構成とされ、かつ、前記第２の携帯端末は、前記第１の携帯端末から前記通信回線を介して前記近距離無線接続するための前記接続要求を受けると、該第１の携帯端末と前記近距離無線接続するための処理を行う構成とされ、前記第１の携帯端末が、自機が有する前記第１の近距離無線通信手段と前記第２の携帯端末が有する前記第２の近距離無線通信手段との間で前記近距離無線接続が確立したとの認証が完了した後、前記第１の携帯端末と前記第２の携帯端末との間の前記通信回線を介する通信を切断することを特徴としている。
【０００８】
請求項２記載の発明は、請求項１記載の携帯端末システムに係り、前記第１及び第２の近距離無線通信手段は、Bluetooth （ブルートゥース）の無線通信仕様に基づいて構成されていることを特徴としている。
【０００９】
請求項３記載の発明は、請求項１又は２記載の携帯端末システムに係り、前記通信回線は、一般電話回線又はインターネットであることを特徴としている。
【００１０】
また、請求項４記載の発明は、第１の携帯端末と、通信回線を介して該第１の携帯端末と通信を行う第２の携帯端末とを備え、前記第１の携帯端末は、前記第２の携帯端末と所定の距離の範囲内で近距離無線接続するための第１の近距離無線通信手段を有すると共に、前記第２の携帯端末は、前記第１の携帯端末と前記所定の距離の範囲内で前記近距離無線接続するための第２の近距離無線通信手段を有する携帯端末システムに用いられ、前記第１の携帯端末を前記第２の携帯端末に近距離無線接続する通信制御方法に係り、前記第１の携帯端末が、前記第２の携帯端末と前記近距離無線接続しようとするときは、まず、前記通信回線を介して、当該近距離無線接続するための接続要求を該第２の携帯端末へ送出する接続要求送出処理と、前記第２の携帯端末が、前記第１の携帯端末から前記通信回線を介して前記近距離無線接続するための前記接続要求を受けると、該第１の携帯端末と前記近距離無線接続するための処理を行う接続処理と、前記第１の携帯端末が、自機が有する前記第１の近距離無線通信手段と前記第２の携帯端末が有する前記第２の近距離無線通信手段との間で前記近距離無線接続が確立したとの認証が完了した後、前記第１の携帯端末と前記第２の携帯端末との間の前記通信回線を介する通信を切断する回線切断処理とを行うことを特徴としている。
【００１１】
請求項５記載の発明は、請求項４記載の通信制御方法に係り、前記第１及び第２の近距離無線通信手段は、Bluetooth （ブルートゥース）の無線通信仕様に基づいて構成されていることを特徴としている。
【００１２】
請求項６記載の発明は、請求項４又は５記載の通信制御方法に係り、前記通信回線は、一般電話回線又はインターネットであることを特徴としている。
【００１３】
【発明の実施の形態】
以下、図面を参照して、この発明の実施の形態について説明する。
図１は、この発明の一実施形態である携帯端末システムの電気的構成を示すブロック図である。
この形態の携帯端末システムは、図１に示すように、携帯電話機２０，３０と、無線基地局４０とから構成されている。携帯電話機２０は、Bluetooth の無線通信仕様に基づく送受信部２１を有し、同送受信部２１を介して携帯電話機３０と所定の距離の範囲内で無線接続すると共に、無線基地局４０を介して携帯電話機３０と通信を行う。特に、この実施形態では、携帯電話機２０は、送受信部２１に携帯電話機３０を無線接続するための接続要求を無線基地局４０を介して同携帯電話機３０へ送出し、この無線接続が完了した後、同無線基地局４０を介した通信を切断する。
【００１４】
携帯電話機３０は、Bluetooth の無線通信仕様に基づく送受信部３１を有し、同送受信部３１を介して携帯電話機２０と所定の距離の範囲内で無線接続すると共に、無線基地局４０を介して携帯電話機２０と通信を行う。特に、この実施形態では、携帯電話機３０は、携帯電話機２０から無線基地局４０を介して前記接続要求が送出された後、送受信部３１を介して同携帯電話機２０と無線接続する。無線基地局４０は、図示しない在圏移動通信交換局及び関門移動通信交換局を介して一般電話回線に接続され、受け持ちの小ゾーン内で携帯電話機２０，３０と通信を行う。
【００１５】
図２は、図１中の携帯電話機２０の電気的構成を示すブロック図である。
この携帯電話機２０は、図２に示すように、送受信部２１と、Bluetooth ホスト２２と、プロトコル処理部２３と、送受信部２４と、メモリ２５と、表示部２６と、音声部２７と、キー入力部２８と、ＭＰＵ（マイクロプロセッサ）２９とから構成されている。送受信部２１は、Bluetooth 仕様のデータを無線通信する。Bluetooth ホスト２２は、送受信部２１を制御する。プロトコル処理部２３は、無線通信手順を制御する。送受信部２４は、無線基地局４０に無線接続されて無線通信を行う。メモリ２５は、電話帳などの各種データを格納する。表示部２６は、たとえば、ＬＣＤ（液晶ディスプレイ）などで構成され、各種データを表示する。音声部２７は、利用者の音声を受けて送話を行うマイクロホンや、各種の情報に対応した音声を発生するスピーカで構成されている。キー入力部２８は、各種操作を行うための複数のキーで構成されている。ＭＰＵ２９は、携帯電話機２０全体の制御を行う。
【００１６】
図３は、図１中の携帯電話機３０の電気的構成を示すブロック図である。
この携帯電話機３０は、図３に示すように、送受信部３１と、Bluetooth ホスト３２と、プロトコル処理部３３と、送受信部３４と、メモリ３５と、表示部３６と、音声部３７と、キー入力部３８と、ＭＰＵ３９とから構成され、これらは、図２に示す携帯電話機２０の各部とそれぞれ同様の機能を有している。
【００１７】
図４は、図１の携帯端末システムの動作を説明するためのフローチャートである。
この図を参照して、この形態の通信制御方法について説明する。
携帯電話機２０と携帯電話機３０との距離がBluetooth の仕様に基づく距離の範囲内である場合、まず、ステップＡ１において、ユーザの操作により、携帯電話機２０のキー入力部２８からBluetooth の無線通信手段の接続相手（すなわち、ユーザが送受信部２１に無線接続したい相手）の電話番号を入力するか、又は、メモリ２５に記録された電話帳を表示部２６に表示し、同電話帳からユーザが無線接続したい接続相手を選択する。入力がない場合はステップＡ１に戻り、入力待ちの状態になる。次に、携帯電話機２０から相手側の携帯電話機３０に発呼を行い、送受信部２１に携帯電話機３０を無線接続するための接続要求を無線基地局４０を介して同携帯電話機３０へ送出する（ステップＡ２、接続要求送出処理）。ステップＡ３において、携帯電話機２０から無線基地局４０を介して携帯電話機３０にたとえばＴＣＰ／ＩＰ（Transmission Control Protocol/Internet Protocol ）のプロトコルに基づいて接続する。相手側の携帯電話機３０が通話中などにより、無線基地局４０を含む電話回線が開通しない場合には、ステップＡ１１において、たとえば「電話回線不能」のメッセージを表示部２６に表示して終了する。
【００１８】
電話回線が開通した後、携帯電話機２０の送受信部２１に対して接続を受け入れることができる待ち受け状態にする（ステップＡ４）。この場合、ＭＰＵ２９からBluetooth ホスト２２に対してＨＣＩ（Host Controller Interface ）コマンド“write_scan_enable ”を送る。同コマンドにより、送受信部２１が待ち受け状態に入る。この後、ステップＡ５において、携帯電話機２０に装備されているBluetooth 仕様の携帯電話機３０の BD_ADDR（アドレス）を電話回線を介して携帯電話機３０に送信する。BD_ADDR （アドレス）は、Bluetooth 仕様の機器に固有の６バイトのデータであり、同BD_ADDR を用いて送受信部２１の接続相手を特定して接続要求を行うことができる。このステップＡ５では、携帯電話機２０のBD_ADDR が電話回線を介して送信されるので、携帯電話機２０の送受信部２１から携帯電話機３０の送受信部３１に対する問合わせ（Bluetooth 仕様の通常の接続手順）が不要となる。
【００１９】
この後、ステップＡ６において、ＰＩＮコード（Personal Identification Number）を携帯電話機２０から携帯電話機３０に電話回線を介して送出する。ＰＩＮコードは、Bluetooth 仕様の通信に必要な認証データであり、携帯電話機２０の電話番号や、あらかじめ同携帯電話機２０のメモリ２５に格納されている値が用いられる。ステップＡ７において、ユーザの操作により、携帯電話機２０から携帯電話機３０に対してBluetooth 仕様の接続要求が行われる。この場合、Bluetooth ホスト２２が送受信部２１を介して携帯電話機３０の送受信部３１に接続処理（Ｐａｇｅ）を行う。そして、携帯電話機３０は、送受信部３１を介して携帯電話機２０と無線接続される（ステップＡ８、接続処理）。
【００２０】
ステップＡ９において、ステップＡ６で送出されたＰＩＮコードに基づいてBluetooth 仕様の接続の認証手続きが行われる。認証が完了した後、Bluetooth ホスト２２からＭＰＵ２９に接続完了の旨を表す信号“Command_Complete”が返信され、Bluetooth の無線接続の手続きが完了する。この手続きが完了した後、携帯電話機２０のＭＰＵ２９は無線基地局４０を介した通信の切断を行い（ステップＡ１０、回線切断処理）、Bluetooth 仕様の無線接続が完了する。無線基地局４０を介した通信が切断された後では、通信料金が不要になる。なお、前記ステップＡ８において、携帯電話機２０と携帯電話機３０との距離がBluetooth の仕様に基づく距離を超えている場合、表示部２６に「接続不可」の旨が表示され（ステップＡ１２）、ステップＡ１０へ進む。
【００２１】
このように、この実施形態では、携帯電話機２０と携帯電話機３０との間のBluetooth 仕様の接続手続が無線基地局４０を介して行われるので、ユーザによるキー入力の操作がステップＡ１とステップＡ７の２つのステップのみで良く、接続に必要な操作及び時間が短縮される。
【００２２】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、図１中の携帯電話機２０，３０は、携帯電話機の機能を有するＰＤＡ（Personal Digital Assistants ）などでも良い。また、図４中のステップＡ４，Ａ５，Ａ６は一例であり、任意の順序で良い。また、図１中の無線基地局４０は、インターネットに接続されていても良い。
【００２３】
【発明の効果】
以上説明したように、この発明の構成によれば、第１の携帯端末の第１の近距離無線通信手段と第２の携帯端末の第２の近距離無線通信手段との間の無線接続の手続を通信回線を介して行うので、同第１の近距離無線通信手段と同第２の近距離無線通信手段との無線接続に必要な操作及び時間を短縮できる。
【図面の簡単な説明】
【図１】  この発明の一実施形態である携帯端末システムの電気的構成を示すブロック図である。
【図２】  図１中の携帯電話機２０の電気的構成を示すブロック図である。
【図３】  図１中の携帯電話機３０の電気的構成を示すブロック図である。
【図４】  図１の携帯端末システムの動作を説明するためのフローチャートである。
【図５】  従来の携帯端末システムの構成図である。
【符号の説明】
２０，３０      携帯電話機（携帯端末）
２１，３１      送受信部（近距離無線通信手段）
２２，３２      Bluetooth ホスト（近距離無線通信手段）
２３，３３      プロトコル処理部
２４，３４      送受信部
２５，３５      メモリ
２６，３６      表示部
２７，３７      音声部
２８，３８      キー入力部
２９，３９      ＭＰＵ（マイクロプロセッサ）
４０      無線基地局（通信回線）
【図１】
0004062014.tif 000002
【図２】
0004062014.tif 000003
【図３】
0004062014.tif 000004
【図４】
0004062014.tif 000005
【図５】
0004062014.tif 000006